(57)【特許請求の範囲】
【請求項１】
媒体の表面を光学的に読み取ることにより、前記媒体の表面に表された画像情報を取得する画像情報取得手段と、
前記画像情報に基づいて、前記画像情報取得手段の読み取り方向に対する前記媒体の回転角に応じた回転角度情報を取得する回転角度情報取得手段と、
前記取得された回転角度情報に基づいて、前記回転角度情報に関連付けられた、少なくとも１の属性情報及び連携システムを示す連携システム情報を含む検索情報を取得する検索情報取得手段と、
前記取得された検索情報に応じて、前記連携システム情報で識別される連携システムに保持された１または複数の対象情報を取得する対象情報取得手段と、
前記取得された１または複数の対象情報に応じて、前記画像情報を登録する登録手段と、
を含むことを特徴とする画像情報登録システム。
【請求項２】
前記画像情報登録システムは、更に、
前記取得された１または複数の対象情報を表示する、対象情報表示手段を含み、
前記画像情報登録手段は、前記１または複数の対象情報のうち、選択された対象情報に基づいて、前記画像情報を登録することを特徴とする請求項１記載の画像情報登録システム。
【請求項３】
前記画像情報登録手段は、前記選択された対象情報で識別されるフォルダに、前記画像情報を登録することを特徴とする請求項２記載の画像情報登録システム。
【請求項４】
前記画像情報登録システムは、更に、
前記画像情報取得手段に複数の媒体を順次供給する媒体供給手段を含むことを特徴とする請求項１乃至３のいずれかに記載の画像情報登録システム。
【請求項５】
前記画像情報登録システムは、更に、
前記画像情報取得手段により読み取られた前記媒体の表面が、前記媒体の第１の面または第２の面かを検出する面判定手段を含み、
前記検索情報は、更に、前記第１の面または前記第２の面を示す面情報に関連付けられ、
前記検索情報取得手段は、前記取得された回転角度情報及び前記面判定手段の判定結果に基づいて、前記検索情報を取得することを特徴とする請求項４記載の画像情報登録システム。
【請求項６】
前記画像情報登録システムは、更に、
ユーザを識別するユーザ識別情報を取得するユーザ識別情報取得手段を含み、
前記検索情報は、更に、前記ユーザ識別情報に関連付けられ、
前記検索情報取得手段は、前記取得された回転角度情報及び前記取得されたユーザ識別情報に基づいて、前記検索情報を取得することを特徴とする請求項１乃至５のいずれかに記載の画像情報登録システム。
【請求項７】
前記画像情報登録システムは、更に、
前記画像情報取得手段により読み取られた前記媒体が、前記媒体供給手段により供給された媒体であるか否かを判定する供給情報を取得する供給情報取得手段を含み、
前記検索情報は、更に、前記供給情報に関連付けられ、
前記検索情報取得手段は、前記取得された回転角度情報及び前記取得された供給情報に基づいて、前記検索情報を取得することを特徴とする請求項４記載の画像情報登録システム。
【請求項８】
媒体の表面を光学的に読み取ることにより、前記媒体の表面に表された画像情報を取得する画像情報取得手段、
前記画像情報に基づいて、前記画像情報取得手段の読み取り方向に対する前記媒体の回転角に応じた回転角度情報を取得する回転角度情報取得手段、
前記取得された回転角度情報に基づいて、前記回転角度情報に関連付けられた、少なくとも１の属性情報及び連携システムを示す連携システム情報を含む検索情報を取得する検索情報取得手段、
前記取得された検索情報に応じて、前記連携システム情報で識別される連携システムに保持された１または複数の対象情報を取得する対象情報取得手段、
前記取得された１または複数の対象情報に応じて、前記画像情報を登録する登録手段、
としてコンピュータシステムを機能させることを特徴とする画像情報登録プログラム。
【発明の詳細な説明】
【技術分野】
【０００１】
本発明は、画像情報登録システム、画像情報登録プログラムに関する。
【背景技術】
【０００２】
複数枚の原稿を順次スキャナに供給し、スキャナにより読み取られた原稿の表面に表された文字や図形を画像データとして保存する画像処理装置が知られている。具体的には、下記特許文献１は、画像データから原稿の向きを検出する原稿方向検出部を有し、当該原稿方向検出部が原稿の向きが直前の原稿と異なる原稿を検出した場合には、当該原稿以後の原稿を、以前の原稿とは別の画像データとして登録する画像処理装置を開示している。
【先行技術文献】
【特許文献】
【０００３】
【特許文献１】特開平７−１９２１０９号公報
【発明の概要】
【発明が解決しようとする課題】
【０００４】
読み取られた媒体の画像情報の回転角度に応じた登録先に、当該画像情報を登録する画像情報登録システムを提供することを目的とする。
【課題を解決するための手段】
【０００５】
請求項１に記載の画像情報登録システムは、媒体の表面を光学的に読み取ることにより、前記媒体の表面に表された画像情報を取得する画像情報取得手段と、前記画像情報に基づいて、前記画像情報取得手段の読み取り方向に対する前記媒体の回転角に応じた回転角度情報を取得する回転角度情報取得手段と、前記取得された回転角度情報に基づいて、前記回転角度情報に関連付けられた、少なくとも１の属性情報及び連携システムを示す連携システム情報を含む検索情報を取得する検索情報取得手段と、前記取得された検索情報に応じて、前記連携システム情報で識別される連携システムに保持された１または複数の対象情報を取得する対象情報取得手段と、前記取得された１または複数の対象情報に応じて、前記画像情報を登録する登録手段と、を含むことを特徴とする。
【０００６】
請求項２に記載の画像情報登録システムは、請求項１に記載の画像情報登録システムにおいて、更に、前記取得された１または複数の対象情報を表示する、対象情報表示手段を含み、前記画像情報登録手段は、前記１または複数の対象情報のうち、選択された対象情報に基づいて、前記画像情報を登録することを特徴とする。
【０００７】
請求項３に記載の画像情報登録システムは、請求項２に記載の画像情報登録システムにおいて、前記画像情報登録手段は、前記選択された対象情報で識別されるフォルダに、前記画像情報を登録することを特徴とする。
【０００８】
請求項４に記載の画像情報登録システムは、請求項１乃至３のいずれかに記載の画像情報登録システムにおいて、更に、前記画像情報取得手段に複数の媒体を順次供給する媒体供給手段を含むことを特徴とする。
【０００９】
請求項５に記載の画像情報登録システムは、請求項４に記載の画像情報登録システムにおいて、更に、前記画像情報取得手段により読み取られた前記媒体の表面が、前記媒体の第１の面または第２の面かを検出する面判定手段を含み、前記検索情報は、更に、前記第１の面または前記第２の面を示す面情報に関連付けられ、前記検索情報取得手段は、前記取得された回転角度情報及び前記面判定手段の判定結果に基づいて、前記検索情報を取得することを特徴とする。
【００１０】
請求項６に記載の画像情報登録システムは、請求項１乃至５のいずれかに記載の画像情報登録システムにおいて、更に、ユーザを識別するユーザ識別情報を取得するユーザ識別情報取得手段を含み、前記検索情報は、更に、前記ユーザ識別情報に関連付けられ、前記検索情報取得手段は、前記取得された回転角度情報及び前記取得されたユーザ識別情報に基づいて、前記検索情報を取得することを特徴とする。
【００１１】
請求項７に記載の画像情報登録システムは、請求項４に記載の画像情報登録システムにおいて、前記画像情報登録システムは、更に、前記画像情報取得手段により読み取られた前記媒体が、前記媒体供給手段により供給された媒体であるか否かを判定する供給情報を取得する供給情報取得手段を含み、前記検索情報は、更に、前記供給情報に関連付けられ、前記検索情報取得手段は、前記取得された回転角度情報及び前記取得された供給情報に基づいて、前記検索情報を取得することを特徴とする。
【００１２】
請求項８に記載の画像情報登録プログラムは、媒体の表面を光学的に読み取ることにより、前記媒体の表面に表された画像情報を取得する画像情報取得手段、前記画像情報に基づいて、前記画像情報取得手段の読み取り方向に対する前記媒体の回転角に応じた回転角度情報を取得する回転角度情報取得手段、前記取得された回転角度情報に基づいて、前記回転角度情報に関連付けられた、少なくとも１の属性情報及び連携システムを示す連携システム情報を含む検索情報を取得する検索情報取得手段、前記取得された検索情報に応じて、前記連携システム情報で識別される連携システムに保持された１または複数の対象情報を取得する対象情報取得手段、前記取得された１または複数の対象情報に応じて、前記画像情報を登録する登録手段、としてコンピュータシステムを機能させることを特徴とする。
【発明の効果】
【００１３】
請求項１、８の発明によれば、読み取られた画像情報の回転角度に応じた登録先に、媒体の画像情報を登録できる。
【００１４】
請求項２の発明によれば、読み取られた画像情報の回転角度に応じた登録先に基づく情報を連携システムから取得し、表示できる。
【００１５】
請求項３の発明によれば、読み取られた画像情報の回転角度に応じた連携システムのフォルダに、媒体の画像情報を登録できる。。
【００１６】
請求項４の発明によれば、複数の媒体が順次読み取られ、各媒体の画像情報の回転角度に応じた登録先に、各画像情報を登録できる。
【００１７】
請求項５の発明によれば、読み取られた画像情報の回転角度及び読み取られた媒体の面に応じた登録先に、画像情報を登録できる。
【００１８】
請求項６の発明によれば、読み取られた画像情報の回転角度及びユーザを識別するユーザ識別情報に応じた登録先に、画像情報を登録できる。
【００１９】
請求項７の発明によれば、読み取られた画像情報の回転角度及び媒体供給手段が使用されたか否かに応じた登録先に、画像情報を登録できる。
【図面の簡単な説明】
【００２０】
【図１】第１の実施の形態における画像情報登録システムの構成の概要について説明するための図である。
【図２】第１の実施の形態における画像情報登録装置の機能的構成について説明するために図である。
【図３】第１の実施の形態における登録先決定部の機能的構成の一例について説明するための図である。
【図４】第１の実施の形態における検索情報記憶部に記憶された検索情報の一例を示す図である。
【図５】第１の実施の形態における画像情報登録システムのフローの一例について説明するための図である。
【図６】第１の実施の形態における登録先決定フローの一例について説明するための図である。
【図７】第２の実施の形態における登録先決定部の機能的構成の一例について説明するための図である。
【図８】第２の実施の形態における検索情報記憶部に記憶された検索情報の一例を示す図である。
【図９】第３の実施の形態における登録先決定部の機能的構成の一例について説明するための図である。
【図１０】第３の実施の形態における検索情報記憶部に記憶された検索情報の一例を示す図である。
【図１１】第４の実施の形態における検索情報記憶部に記憶された検索情報の一例を示す図である。
【図１２】第５の実施の形態における登録先決定部の機能的構成の一例について説明するための図である。
【図１３】第５の実施の形態における検索情報記憶部に記憶された検索情報の一例を示す図である。
【発明を実施するための形態】
【００２１】
以下、本発明の実施形態について、図面を参照しつつ説明する。なお、図面については、同一又は同等の要素には同一の符号を付し、重複する説明は省略する。
【００２２】
[第１の実施形態]
図１は、本発明の第１の実施の形態における画像情報登録システムの構成の概要について説明するための図である。図１に示すように、本実施の形態における画像情報登録システム１００は、主に、画像処理装置１１０、画像情報登録装置１２０、ワークフローシステム１３０、文書管理システム１４０を含む。
【００２３】
画像処理装置１１０は、例えば、コピー機能やスキャン機能等を有する複合機であって、図１に示すように、例えば、制御部１０１、記憶部１０２、操作部１０３、表示部１０４、読み取り部１０５、プリンタ部１０６、通信部１０７を有する。なお、各部１０１乃至１０７は、内部バス１０９により互いに接続される。
【００２４】
制御部１０１は、例えば、ＭＰＵであって、記憶部１０２に格納されたプログラムに従って動作する。
【００２５】
記憶部１０２は、例えば、ＲＯＭやＲＡＭ、ハードディスク等の情報記録媒体で構成され、制御部１０１によって実行されるプログラムを保持する情報記録媒体である。また、記憶部１０２は、制御部１０１のワークメモリとしても動作する。なお、当該プログラムは、例えば、ネットワークを介して、ダウンロードされて提供されてもよいし、または、ＣＤ−ＲＯＭやＤＶＤ−ＲＯＭ等のコンピュータで読み取り可能な各種の情報記録媒体によって提供されてもよい。
【００２６】
操作部１０３は、例えば、複数のボタンや後述する表示部１０４に表示されたタッチパネル等のインターフェースで構成され、ユーザの指示操作に応じて、当該指示操作の内容を制御部１０１に出力する。
【００２７】
表示部１０４は、例えば、液晶ディスプレイ、有機ＥＬディスプレイ等であって、制御部１０１からの指示に従い、情報を表示する。
【００２８】
読み取り部１０５は、例えば、媒体の表面を撮像センサでスキャンすることにより、媒体の表面に表された文字、図形等を読み取る。なお、読み取り部１０５は読み取り部１０５に複数枚の原稿を順次供給する自動原稿供給装置を備えてもよい。
【００２９】
プリンタ部１０６は、例えば、ユーザの指示により、読み取り部１０５により取得された画像や記憶部１０２に記憶された画像を印刷する。通信部１０７は、当該画像処理装置１１０を、ネットワーク１０８を介して画像情報登録装置１２０、ワークフローシステム、文書管理システムと接続する。
【００３０】
画像情報登録装置１２０は、例えば、サーバであって、制御部１２１、記憶部１２２、通信部１２７を含む。その他、表示部１２４や、操作部１２３を含んでもよい。また、ワークフローシステム１３０及び文書管理システム１４０は、例えば、いわゆるサーバ・クライアントシステムで構成され、同様に、サーバやクライアントを含み、サーバやクライアントは、制御部１２１、記憶部１２２、通信部１２７を含む。同様に、表示部１２４や、操作部１２３を含んでもよい。上記制御部１２１、記憶部１２２、操作部１２３、通信部１２７、表示部１２４等の構成は、上記画像処理装置１１０の制御部１０１、記憶部１０２、操作部１０３、表示部１０４、通信部１０７等と同様であるので、説明を省略する。なお、画像情報登録装置１２０についてもいわゆるサーバ・クライアントシステムで構成してもよい。
【００３１】
次に、画像情報登録装置１２０の機能的構成について説明する。図２に示すように、画像情報登録装置１２０は、画像情報取得部２０１、画像情報抽出部２０２、回転角度情報取得部２０３、登録先決定部２０４、次頁判定部２０５、登録部２０６、回転角度判定部２０７を含む。
【００３２】
画像情報取得部２０１は、画像情報処理装置１１０の読み取り部１０５により取得された画像情報を取得する。具体的には、例えば、画像処理装置１１０が複数枚の原稿を読み取り部１０５に順次供給する自動供給装置（図示なし）を含む場合には、複数枚の原稿を複数頁の画像情報群として取得する。また、例えば、画像情報取得部２０１は、読み取り台に置かれた原稿を、読み取り部１０５により読み取る場合には、当該原稿の画像情報を取得する。
【００３３】
画像情報抽出部２０２は、画像情報取得部２０１により取得された画像情報に含まれる複数頁の原稿の画像情報のうち、当該原稿の１頁に相当する画像情報を抽出する。なお、読み取り台に置かれた原稿を読み取る場合には、画像情報抽出部２０２は、当該原稿の画像情報を読み取る。
【００３４】
回転角度情報取得部２０３は、画像情報抽出部２０２により抽出された画像情報の回転角度に応じた回転角度情報を取得する。当該回転角度は、例えば、画像情報処理装置１１０であらかじめ原稿をセットする方向として定められた方向に対する回転角度に相当する。また、回転角度情報取得部２０３は、取得された回転角度に基づいて、例えば、０°、９０°、１８０°、２７０°などの複数のパターンの回転角度情報として取得する。つまり、検出された回転角度（例えば、９５°）が、あらかじめ設定されたパターンの角度（例えば、９０°）からあらかじめ設定された範囲内（例えば、±２０°）である場合には、当該あらかじめ設定された複数のパターンのうちの１のパターンの回転角度情報（例えば、９０°を表す回転角度情報）として取得する。なお、当該回転角度の検出は、例えば、文字認識技術を用いて、原稿の表面に表された文字を認識し、当該文字の方向に基づいて回転角度を検出する。
【００３５】
登録先決定部２０４は、取得された回転角度情報（例えば、０°、９０°、１８０°、２７０°）に応じて、画像情報の登録先を決定する。なお、登録先決定部２０４の機能的構成の詳細については後述する。
【００３６】
次頁判定部２０５は、登録先決定部２０４により画像情報の登録先が決定されると、当該画像情報の次の頁に相当する画像情報（次頁画像情報）が存在するか否かを判定する。そして、次頁画像情報が存在すると判定した場合には、画像情報抽出部２０２に次頁画像情報を抽出するよう指示する。一方、次頁画像情報が存在しないと判定した場合には、登録部２０６は、当該画像情報を決定された登録先に登録する。
【００３７】
回転角度判定部２０７は、前の頁に相当する画像情報について取得された回転角度情報と、次の頁に相当する画像情報（次頁画像情報）について取得された回転角度情報が異なるか否かを判定する。そして、回転角度情報が同じであると判断した場合には、次頁判定部２０５に、次頁が存在するか否かを判定するよう指示する。一方、回転角度情報が異なると判断した場合には、登録部２０６に、回転角度情報が同じであると判定された前の頁までの各画像情報を１の画像情報群として、登録先決定部２０４により決定された登録先に登録するよう指示する。
【００３８】
登録部２０６は、登録先決定部２０４により決定された登録先に画像情報または画像情報群を登録する。具体的には、上記のように、回転角度情報が同じ画像情報が複数存在する場合には、１の画像情報群として登録し、回転角度情報が同じ画像情報が１つのみである場合には当該画像情報を登録する。なお、登録部２０６は、回転角度を通常の読み取り方向に戻してから登録する。つまり、例えば、画像情報の回転角度が９０°であれば、逆に９０°回転させてから、登録する。
【００３９】
次に、登録先決定部２０４の機能的構成について説明する。図３は、登録先決定部の機能的構成の一例について説明するための図である。図３に示すように、登録先決定部２０４は、検索情報取得部３０１、対象情報取得部３０２、対象情報判定部３０３、表示情報生成部３０４、特定情報取得部３０５を含む。
【００４０】
検索情報取得部３０１は、回転角度情報取得部２０３により取得された回転角度情報に基づいて、当該回転角度情報に関連付けて記憶された検索情報を、検索情報記憶部２０８から取得する。検索情報記憶部２０８は、回転角度情報、属性を示す属性情報、連携先システムを示す連携システム情報を含む。属性情報や連携システム情報の詳細については後述する。
【００４１】
図４は、検索情報記憶部に記憶された検索情報の一例を示す図である。図４に示すように、例えば、検索情報記憶部２０８は、回転角度情報に関連付けて、属性情報としての検索属性名及び検索属性値、連携システム情報を表の形式で記憶する。図４に示すように、例えば、検索情報記憶部２０８は、回転角度情報０°に関連付けて、属性情報として検索属性名：開始日、及び検索属性値：今日、連携システム情報として、ワークフローシステム１３０を示す情報を記憶する。なお、図４は例示であって、検索情報はこれに限られない。例えば、「今日」や「開始日」を識別する記号等を記憶してもよい。
【００４２】
つまり、検索情報取得部３０１は、図４に示した場合であって、回転角度情報取得部２０３により取得された回転角度情報が０°の場合、検索属性名として開始日、検索属性値として今日、連携先システムとして、ワークフローシステム１３０を示す情報を取得する。なお、その他の検索情報（例えば、図４において回転角度情報が９０度、１８０度、２７０度の場合）についても同様であるので説明を省略する。
【００４３】
対象情報取得部３０２は、検索情報取得部３０１により取得された検索情報に基づいて、連携先システムから、当該検索情報に応じた対象情報を取得する。ここで、連携先システムとは、ワークフローシステム１３０や文書管理システム１４０に相当する。また、対象情報とは、例えば、ワークフローシステム１３０に登録された作業名や文書ファイルに登録されたフォルダ名に相当する。また、対象情報は、作業の開始日や進行状況、作業をしている人の名称などその他の関連情報を含んでもよい。
【００４４】
具体的には、上記例の場合、対象情報取得部３０２は、検索情報として、検索属性名：開始日、検索属性値：今日、連携システム情報：ワークフローシステム１３０が取得されることから、ワークフローシステム１３０から、例えば、開始日が今日である対象情報（例えば、開始日が今日である作業名）を取得する。
【００４５】
対象情報判定部３０３は、当該取得された対象情報が複数存在するか否かを判定する。複数存在すると判定した場合には、後述する表示情報生成部３０４に、当該対象情報をあらかじめ定められた形式（例えばリスト形式）で表示するための表示情報を生成するよう指示する。
【００４６】
一方、対象情報判定部３０３は、単数であると判定した場合には、特定情報取得部３０５が、当該１の対象情報を取得するよう指示する。ここで、当該対象情報が、登録先を示す情報（登録先情報）に相当する。よって、上記例の場合、ワークフローシステム１３０の記憶部１２２の、検索情報として、検索属性名：開始日、検索属性値：今日で特定される記憶領域（例えば、作業名Ａのフォルダ）に、当該画像情報または画像情報群を登録する。
【００４７】
表示情報生成部３０４は、対象情報判定部３０３が複数であると判定した場合には、当該対象情報をあらかじめ設定された形式（例えばリスト形式）で表示するための表示情報を生成し、表示する。なお、当該表示情報は、画像処理装置１１０の表示部１０４に表示してもよいし、画像情報登録装置１２０の表示部１２４に表示するように構成してもよい。また、ユーザが使用しているその他の端末の表示部（図示なし）に表示されるように構成してもよい。
【００４８】
そして、ユーザが表示された対象情報のうち、１の対象情報を特定すると、特定情報取得部３０５は、当該特定された対象情報を取得する。当該対象情報が、登録先を示す情報（登録先情報）に相当する。つまり、上記例の場合、ワークフローシステム１３０の記憶部１２２に、検索情報として、検索属性名：開始日、検索属性値：今日で特定され、かつ、特定された対象情報で識別される記憶領域（例えば、作業名Ｂのフォルダ）に、当該画像情報または画像情報群が登録される。
【００４９】
なお、上記図２及び図３に示した画像処理装置１１０及び登録先決定部２０４の機能的構成は一例であって、本実施の形態における画像処理装置１１０及び登録先決定部２０４の構成は上記に限定されない。
【００５０】
次に、本実施の形態における画像情報登録システム１００のフローの一例について説明する。図５は、本実施の形態における画像情報登録システムのフローの一例について説明するための図である。
【００５１】
画像情報取得部２０１は、画像処理装置１１０の読み取り部１０５により取得された画像情報を取得する（Ｓ１０１）。画像情報抽出部２０２は、画像情報取得部２０１により取得された画像情報に含まれる複数頁の原稿の画像情報のうち、１頁目の画像情報を取得する（Ｓ１０２）。回転角度情報取得部２０３は、１頁目の画像情報の回転角度情報を取得する（Ｓ１０３）。登録先決定部２０４は、取得された１頁目の画像情報の回転角度情報に基づいて、１頁目の画像情報の登録先を決定する（Ｓ１０４）。なお、Ｓ１０４の登録先決定のフローの詳細については後述する。
【００５２】
次頁判定部２０５は、次の頁の画像情報（次頁画像情報）が存在するか否か判定する（Ｓ１０５）。当該次頁画像情報とは、次の頁の画像情報であって、上記例の場合、例えば、２頁目の画像情報に相当する。次頁画像情報が存在しないと判定した場合には、登録先決定部２０４により決定された登録先に、当該画像情報を登録する（Ｓ１０６）。そして、処理を終了する（Ｓ１０７）。つまり、この場合当該１頁目の画像情報が登録される。一方、Ｓ１０５で次頁画像情報が存在すると判定した場合には、画像情報抽出部２０２は、次頁画像情報を抽出する（Ｓ１０８）。回転角度情報取得部２０３は、次頁画像情報の回転角度情報を取得する（Ｓ１０９）。
【００５３】
回転角度判定部２０７は、前の頁の画像情報（例えば、１頁目の画像情報）について取得された回転角度情報と、当該次頁画像情報について取得された回転角度情報が異なるか否かを判定する（Ｓ１１０）。そして、回転角度判定部２０７が、回転角度情報が同じであると判定した場合には、Ｓ１０５に戻り、次頁画像情報の次の画像情報（例えば、３頁目の画像情報）が存在するか否か判定する等、上記と同様の処理を行う。
【００５４】
一方、回転角度判定部２０７が、回転角度情報が異なると判定した場合には、前の頁までの画像情報を１つの画像情報群として、登録先決定部２０４により決定された登録先に登録する（Ｓ１１１）。つまり、例えば、１頁目の画像情報と２頁目の画像情報について取得された回転角度情報が異なる場合には、前の頁までの画像情報（この場合１頁目のみの画像情報）を、決定された登録先に登録する。また、例えば、１頁目と２頁目の画像情報について取得された回転角度情報が同じであって、３頁目の画像情報について取得された回転角度情報が１頁目や２頁目の画像情報について取得された回転角度情報と異なる場合には、前の頁までの画像情報（この場合１頁目と２頁目の画像情報）を、Ｓ１０４で決定された登録先に登録する。
【００５５】
そして、Ｓ１０３に戻り、取得された回転角度情報が異なると判定された以降の頁の画像情報について、回転角度情報を取得し（Ｓ１０３）、登録先の決定（Ｓ１０４）を行う等、上記と同様の処理を行う。つまり、上記のように、１頁目と２頁目の画像情報について取得された回転角度情報が同じであって、３頁目の画像情報について取得された回転角度情報が１頁目や２頁目の画像情報について取得された回転角度情報と異なる場合には、上記と同様に、３頁目の画像情報について回転角度情報を取得し、登録先を決定するなどの処理を行う。
【００５６】
次に、上記登録先決定フロー（Ｓ１０４）について説明する。図６は、登録先決定フローの一例について説明するための図である。
【００５７】
図６に示すように、まず、検索情報取得部３０１は、回転角度情報取得部２０３により取得された回転角度情報に基づいて、当該回転角度情報に関連付けて記憶された検索情報を、検索情報記憶部２０８から取得する（Ｓ２０１）。
【００５８】
対象情報取得部３０２は、検索情報取得部３０１により取得された検索情報に基づいて、連携先システム、例えば、ワークフローシステム１３０や文書管理システム１４０、から、当該検索情報に応じた対象情報を取得する（Ｓ２０２）。
【００５９】
対象情報判定部３０３は、当該取得された対象情報が複数か否か判定する（Ｓ２０３）。複数であると判定した場合には、表示情報生成部３０４は、対象情報をあらかじめ設定された形式で表示するため表示情報を生成し、表示部に表示する（Ｓ２０４）。一方、１の対象情報のみ取得された場合には、Ｓ２０５に進む。
【００６０】
特定情報取得部３０５は、特定された対象情報を取得する（Ｓ２０５）。例えば、当該特定情報は、複数の対象情報が存在する場合には、ユーザが選択した対象情報に相当する。一方、Ｓ２０３で１の対象情報のみ取得されたと判定された場合には、当該対象情報に相当する。なお、登録部２０６は、当該特定情報で識別される登録先（例えば、ワークフローシステム１３０において作業名Ａに関連するフォルダや、文書管理システム１４０における仕様書フォルダや設計書フォルダ）に、登録先が決定された画像情報または画像情報群を登録する。次にＳ１０５に進む。
【００６１】
本発明は、上記実施の形態に限定されるものではなく、上記実施の形態で示した構成と実質的に同一の構成、同一の作用効果を奏する構成又は同一の目的を達成することができる構成で置き換えてもよい。例えば、上記においては連携先システムとしてワークフローシステム１３０や文書管理システム１４０を例として説明したが、その他のシステムを含んでもよい。
【００６２】
[第２の実施形態]
次に、本発明の第２の実施形態を説明する。本実施の形態においては、登録先決定部２０４は、ユーザ識別情報取得部３０６を有し、また、検索情報記憶部２０４が、回転角度情報を示す回転角度情報、属性を示す属性情報、連携先システムを示す連携システム情報に加えて、ユーザ識別情報を関連付けて記憶する点が第１の実施の形態と異なる。なお、下記において第１の実施形態と同様である点については説明を省略する。
【００６３】
図７は、本実施の形態における登録先決定部の機能的構成の一例について説明するための図である。図７に示すように、本実施の形態における登録先決定部２０４は、検索情報取得部３０１、対象情報取得部３０２、対象情報判定部３０３、表示情報生成部３０４、特定情報取得部３０５に加えて、ユーザ識別情報取得部３０６を含む。
【００６４】
ユーザ識別情報取得部３０６は、ユーザを識別するユーザ識別情報を取得する。例えば、当該ユーザ情報は、ユーザが固有のユーザＩＤを操作部１０３に入力することにより取得されるように構成してもよいし、あらかじめ設定されたカードを画像処理装置１１０の認証部（図示なし）にかざすことにより、ユーザ識別情報が取得されるように構成してもよい。
【００６５】
検索情報取得部３０１は、回転角度情報取得部２０３により取得された回転角度情報及びユーザ識別情報に基づいて、当該回転角度情報及びユーザ識別情報に関連付けて記憶された検索情報を、検索情報記憶部２０８から取得する。
【００６６】
ここで、本実施の形態においては、検索情報記憶部２０８は、回転角度情報を示す回転角度情報、属性を示す属性情報、連携先システムを示す連携システム情報、ユーザ識別情報を関連付けて記憶する。図８は、検索情報記憶部２０８に記憶された検索情報の一例を示す図である。
【００６７】
つまり、検索情報取得部３０１は、ユーザ識別情報としてユーザＡが取得され、回転角度情報取得部２０３により、回転角度情報として０°が取得された場合には、検索情報として、検索属性名：開始日、検索属性値：今日、連携システム情報：ワークフローシステム１３０を取得する。
【００６８】
その他の点については、上記第１の実施の形態と同様であることから説明を省略する。本発明は、上記実施の形態に限定されるものではなく、上記実施の形態で示した構成と実質的に同一の構成、同一の作用効果を奏する構成又は同一の目的を達成することができる構成で置き換えてもよい。
【００６９】
[第３の実施形態]
次に、本発明の第３の実施形態を説明する。本実施の形態においては、主に、登録先決定部２０４は、読み取り部１０５で読み取られた媒体が表の面であったか裏の面であったか判定する面判定部３０７を有し、また、検索情報記憶部２０４は、回転角度情報を示す回転角度情報、属性を示す属性情報、連携先システムを示す連携システム情報に加えて、読み取り部１０５で読み取られた原稿が表の面であったか裏の面であったかを示す面情報を関連付けて記憶する点が第１の実施の形態と異なる。なお、下記において第１の実施形態と同様である点については説明を省略する。
【００７０】
図９は、本実施の形態における登録先決定部２０４の機能的構成の一例について説明するための図である。図９に示すように、本実施の形態における登録先決定部２０４は、検索情報取得部３０１、対象情報取得部３０２、対象情報判定部３０３、表示情報生成部３０４、特定情報取得部３０５に加えて、面判定部３０７を含む。
【００７１】
面判定部３０７は、読み取り部１０５で読み取られた媒体が表の面であったか裏の面であったか判定する。具体的には、例えば、画像情報取得部２０１により取得された画像情報について、文字や図形が表されている画像情報を表の面として判定し、白紙（文字や図形が含まれていない）である場合を裏の面として判定する。当該判定には、例えば、文字認識や画像認識技術を用いればよい。そして、面判定部３０７は、判定結果に基づいて、表の面か裏の面かを識別する面識別情報を取得する。
【００７２】
検索情報取得部３０１は、回転角度情報取得部２０３により取得された回転角度情報及び面識別情報に基づいて、当該回転角度情報及び面識別情報に関連付けて記憶された検索情報を、検索情報記憶部２０８から取得する。
【００７３】
ここで、本実施の形態においては、検索情報記憶部２０８は、回転角度情報を示す回転角度情報、属性を示す属性情報、連携先システムを示す連携システム情報、ユーザ識別情報を関連付けて記憶する。図１０は、検索情報記憶部２０８に記憶された検索情報の一例を示す図である。
【００７４】
つまり、検索情報取得部３０１は、面識別情報として表を示す識別情報が取得され、回転角度情報取得部２０３により、０°が取得された場合には、検索情報として、検索属性名：名前、検索属性値：仕様書フォルダ、連携システム情報：文書管理システム１４０を取得する。
【００７５】
その他の点については、上記第１の実施の形態と同様であることから説明を省略する。本発明は、上記実施の形態に限定されるものではなく、上記実施の形態で示した構成と実質的に同一の構成、同一の作用効果を奏する構成又は同一の目的を達成することができる構成で置き換えてもよい。例えば、登録部２０６は、媒体の表面のみの画像情報を登録するように構成してもよい。また、上記第３の実施形態は、第１または第２の実施形態と組み合わせて用いてもよい。
【００７６】
[第４の実施形態]
次に、本発明の第４の実施形態を説明する。本実施の形態においては、主に画像処理装置１１０において、原稿の読み取りを１枚ずつ原稿読み取り台に載せて、読み取る場合を想定する点が、主に、第１の実施の形態と異なる。なお、下記において第１の実施形態と同様である点については説明を省略する。    
【００７７】
回転角度情報取得部２０３は、画像情報抽出部２０２により抽出された画像情報の回転角度情報を取得する。当該回転角度情報は、例えば、画像処理装置１１０であらかじめ原稿をセットする方向として定められた方向に対する回転角度情報に相当する。また、回転角度情報取得部２０３は、検出された回転角度情報に基づいて、当該回転角度情報は、例えば、０°、４５°、９０°、１３５°、１８０°、２２５°、２７０°、３１５°など上記第１の実施形態より多くのパターンの角度情報として取得する。なお、回転角度情報のパターンは上記例に限られず、その他の数に設定してもよい。本実施の形態においては、画像処理装置１１０において、読み取り部１０５に、順次自動的に原稿を供給する自動原稿供給装置を用いる場合ではなく、原稿読み取り台に載せて読み取る場合を想定している。よって、回転角度情報のパターン分けを９０°よりも細かく設定され得る。
【００７８】
本実施の形態においても、上記第１の実施形態と同様に、検索情報取得部３０１は、回転角度情報取得部２０３により取得された回転角度情報に基づいて、当該回転角度情報に関連付けて記憶された検索情報を、検索情報記憶部２０８から取得する。図１１は、検索情報記憶部に記憶された検索情報の一例を示す図である。
【００７９】
図１１に示した例においては、回転角度情報は、４５°毎に設定されている。また、検索情報取得部３０１は、回転角度情報取得部２０３により、４５°が取得された場合には、検索情報として、検索属性名：名前、検索属性値：設計書フォルダ、連携システム情報：文書管理システムを取得する。
【００８０】
その他の点については、上記第１の実施の形態と同様であることから説明を省略する。本発明は、上記実施の形態に限定されるものではなく、上記実施の形態で示した構成と実質的に同一の構成、同一の作用効果を奏する構成又は同一の目的を達成することができる構成で置き換えてもよい。具体的には、例えば、上記第１乃至第３の実施の形態においては、主に、自動原稿供給装置を用いて、複数枚の原稿が一度に読み取られる場合を想定して説明したが、自動原稿供給装置を用いずに上記第４の実施の形態と組み合わせて構成してもよい。
【００８１】
[第５の実施形態]
次に、本発明の第５の実施形態を説明する。本実施の形態においては、主に、登録先決定部２０４は、読み取り部１０５に原稿を自動的に供給する自動原稿供給装置を用いて読み取られたものであるか否かを示す供給情報取得部３０８を有する。また、検索情報記憶部２０８は、回転角度情報を示す回転角度情報、属性を示す属性情報、連携先システムを示す連携システム情報に加えて、読み取り部１０５で読み取られた原稿が自動原稿供給装置を用いて読み取られたものであるか否かを示す供給情報を関連付けて記憶する点が第１の実施の形態と異なる。なお、下記において第１の実施形態と同様である点については説明を省略する。
【００８２】
図１２は、本実施の形態における登録先決定部の機能的構成の一例について説明するための図である。図１２に示すように、本実施の形態における登録先決定部２０４は、検索情報取得部３０１、対象情報取得部３０２、対象情報判定部３０３、表示情報生成部３０４、特定情報取得部３０５に加えて、供給情報取得部３０８を含む。
【００８３】
供給情報取得部３０８は、画像処理装置１１０から送信される画像情報に含まれる供給情報を取得する。具体的には、例えば、画像処理装置１１０は、原稿が自動原稿供給装置に載置されたか否かを判定し、当該判定結果が画像情報に関連付けられて、画像情報登録装置１２０に送信される。そして、供給情報取得部３０８は、当該画像情報に関連付けられた供給情報を取得するように構成する。
【００８４】
検索情報取得部３０１は、回転角度情報取得部２０３により取得された回転角度情報及び上記供給情報取得部３０８により取得された供給情報に基づいて、当該回転角度情報及び面識別情報に関連付けて記憶された検索情報を、検索情報記憶部２０８から取得する。
【００８５】
ここで、本実施の形態においては、検索情報記憶部２０８は、回転角度情報、属性情報、連携システム情報に加えて、供給情報を関連付けて記憶する。図１３は、検索情報記憶部２０８に記憶された検索情報の一例を示す図である。なお、図１３においてＤＡＤＦ／プラテンとして示した情報が供給情報に相当する。具体的には、ＤＡＤＦは、自動原稿供給装置から供給された場合を示し、プラテンは原稿を読み取り台に載せて読み取られた場合を示す。
【００８６】
図１３に示した場合であって、検索情報取得部３０１は、供給情報としてＤＡＤＦが取得され、回転角度情報取得部２０３により、０°が取得された場合には、検索情報として、検索属性名：名前、検索属性値：仕様書フォルダ、連携システム情報：文書管理システム１４０を取得する。
【００８７】
その他の点については、上記第１の実施の形態と同様であることから説明を省略する。本発明は、上記実施の形態に限定されるものではなく、上記実施の形態で示した構成と実質的に同一の構成、同一の作用効果を奏する構成又は同一の目的を達成することができる構成で置き換えてもよい。例えば、上記第１乃至第５の実施の形態は、互いに矛盾しない限り、組み合わせて用いてもよい。また、上記第１乃至第５の実施形態においては、属性情報として、検索属性名及び検索属性値の２の属性情報を用いる場合について説明したが、その他の数の属性情報を用いてもよい。更に、上記第１乃至第５の実施形態においては、主に紙媒体としての原稿を読み取る場合について説明したが、その他の媒体を用いてもよい。
【符号の説明】
【００８８】
１００  画像情報登録システム１００、１１０  画像処理装置１１０、１２０  画像情報登録装置、１３０  ワークフローシステム１３０、１４０  文書管理システム１４０、１０１、１２１  制御部、１０２、１２２  記憶部、１０３、１２３、  操作部、１０４、１２４  表示部、１０５  読み取り部、１０６  プリンタ部、１０７、１２７  通信部、２０１  画像情報取得部、２０２  画像情報抽出部、２０３  回転角度情報取得部、２０４  登録先決定部２０４、２０５  次頁判定部、２０６  登録部、２０７  回転角度情報判定部、３０１  検索情報取得部、３０２  対象情報取得部、３０３  対象情報判定部、３０４  表示情報生成部、３０５  特定情報取得部、３０６  ユーザ識別情報取得部３０６、３０７  面判定部、３０８  供給情報取得部。
【図１】
0005874474.tif 000002
【図２】
0005874474.tif 000003
【図３】
0005874474.tif 000004
【図４】
0005874474.tif 000005
【図５】
0005874474.tif 000006
【図６】
0005874474.tif 000007
【図７】
0005874474.tif 000008
【図８】
0005874474.tif 000009
【図９】
0005874474.tif 000010
【図１０】
0005874474.tif 000011
【図１１】
0005874474.tif 000012
【図１２】
0005874474.tif 000013
【図１３】
0005874474.tif 000014